(57)【要約】【課題】カム溝とノック体と回転カムとで構成したノック式繰出機構を有したノック式筆記具において、筆記体を後方へ付勢するスプリングの他に１つのスプリングを配設するだけで、筆記時における「ノック体のがたつき問題」を解消し、かつ書き味を向上するための筆圧緩衝用スプリングを配した構造とする。【解決手段】軸筒の内壁面に形成したカム溝と先端にカム面を有したノック体と前記カム面に噛合うカム受け部を有した回転カムとで構成されたノック式繰出機構を有したノック式筆記具において、押圧部と棒状軸部と頭冠部とで構成された摺動ホルダーを形成する。該摺動ホルダーを、押圧部を筆記体の後端部に連接し、棒状軸部をノック体内及び回転カム内に挿通し、押圧部と回転カムとの間に第二のスプリングを設けて、頭冠部が直接又は間接的にノック体に連接するように配設する。【選択図】図１
2008173913.tif 000002
【特許請求の範囲】
【請求項１】
軸筒内にスプリングを介して後方に付勢して収容した筆記体の筆記先端部を軸筒の先端開口部から出没させるための、軸筒の内壁面に形成したカム溝と先端にカム面を有したノック体と前記カム面に噛合うカム受け部を有した回転カムとで構成されたノック式繰出機構を軸筒に具設したノック式筆記具において、先端に軸筒内に収容された筆記体の後端を押圧するための押圧部と、前記ノック体及び回転カムに挿入する棒状軸部と、該棒状軸部の外径より大径な外径を有する頭冠部とで構成した摺動ホルダーを、押圧部を筆記体の後端部に連接し、棒状軸部を前記ノック体内及び回転カム内に前後に摺動可能に挿入し、押圧部と回転カムとの間に、前記スプリングの弾発力より大きな弾発力を有した第二のスプリングを配して、筆記体の筆記先端部が軸筒の先端開口部より突出しないように頭冠部を直接又は間接的にノック体に連接させるとともに、頭冠部を押圧することなくノック体を押圧可能に頭冠部を配して設け、ノック体を押圧することで、回転カム及び摺動ホルダーが連動して前進し、押圧部の筆記体の後端への押圧により、筆記体の筆記先端部が軸筒の先端開口部より突出するようにしたことを特徴とする、ノック式筆記具。
【請求項２】
前記頭冠部を、ノック体の後端に形成した凹部に軸心方向に摺動可能に挿嵌して設け、ノック体の開口部を頭栓で被覆することで、頭冠部を押圧することなくノック体を押圧可能とした、請求項１に記載のノック式筆記具。
【請求項３】
前記頭冠部を、ノック体の後端に連接した頭冠カバーに形成した凹部に軸心方向に摺動可能に挿嵌して設け、頭冠カバーの開口部を頭栓で被覆することで、頭冠部を押圧することなくノック体を押圧可能とした、請求項１に記載のノック式筆記具。
【発明の詳細な説明】
【技術分野】
【０００１】
本発明は、軸筒内にスプリングを介して後方に付勢して収容した筆記体の筆記先端部を軸筒の先端開口部から出没させるための、軸筒の内壁面に形成したカム溝と先端にカム面を有したノック体と前記カム面に噛合うカム受け部を有した回転カムとで構成されたノック式繰出機構を軸筒に具設したノック式筆記具に関する。
【背景技術】
【０００２】
従来より、軸筒内にスプリングを介して後方に付勢して収容した筆記体の筆記先端部を軸筒の先端開口部から出没させるための、軸筒の内壁面に形成したカム溝と先端にカム面を有したノック体と前記カム面に噛合うカム受け部を有した回転カムとで構成されたノック式繰出機構を軸筒に具設したノック式筆記具は知られている。このノック式筆記具における筆記体の筆記先端部を軸筒の先端開口部より出没させる際の動作について説明すると、ノック体を押圧すると、ノック体と回転カムがカム溝に沿って前進し、回転カムにより押圧された筆記体も連動して前進し、筆記先端部を軸筒の先端開口部から突出する。回転カムは回転してカム溝の係止部に係止して後退を抑制されるので、筆記先端部は軸筒の先端開口部から突出した状態を維持される。筆記先端部を軸筒内に没入させるには、再度ノック体を押圧して回転カムを若干前進させて回転させ、回転カムのカム溝の係止部との係止を解除する。スプリングにより後端側へ付勢された筆記体を介して回転カム及びノック体は後方へ押圧されるので後退し、筆記体も後退して筆記先端部を軸筒内に没入する。
【０００３】
ノック体を押圧して筆記体の筆記先端部を軸筒の先端開口部より突出した際には、前記したように回転カムはカム溝の先端に設けた係止部に係止するので、回転カムは後退することなく前進位置を維持するが、ノック体はそのまま回転カムから離れて後退可能となる。ノック体は回転カムと元の位置との間でカム溝に沿って前後動し、「ノック体のがたつき問題」が生じる。この「がたつきの問題」を解消するものとして、カム筒（回転カム）の後端とノック部材（ノック体）の前端との間に戻しスプリングを配設する技術が知られており、例えば特開平１０−２６４５８３号の公報により開示されている。
【０００４】
ところで、軸筒内にボールペンレフィルを収容した構造の筆記具においては、筆記時における書き味を改善するために、筆記時における筆圧を緩衝するものとして筆圧緩衝用スプリングを備えた構造が従来より多数提案されており、カム溝とノック体と回転カムとで構成したノック式繰出機構を配設したノック式筆記具においても、実開昭５７−１６３３７６号の公報により、軸筒内に押出機構を備えた押出式ボールペンにおいて、押出機構と軸筒内に収容したボールペンレフィルとの間に、ボールペンレフィルを軸筒内に引込むためのバネよりも強い弾発力の筆圧緩衝用弾性部材を介在させた「押出式ボールペン」に係る考案が提案されている。
【０００５】
しかし従来、カム溝とノック体と回転カムとで構成したノック式繰出機構を有したノック式筆記具において、前記したノック体の「がたつき問題」を解消し、かつ筆記時における筆圧を緩衝する構造を有したものはなかった。前述した構造を単に組み合わせただけでは、筆記体を後方へ付勢するためのスプリングと、筆記体を前方（軸筒の先端開口部側）へ付勢するためのスプリングと、ノック体を後方へ付勢するための戻しスプリングの３つが必要になり、各スプリングの弾発力の強弱関係が煩雑になるという問題がある。
【特許文献１】特開平１０−２６４５８３号公報
【特許文献２】実開昭５７−１６３３７６号公報
【発明の開示】
【発明が解決しようとする課題】
【０００６】
本発明は、軸筒内にスプリングを介して後方に付勢して収容したボールペンレフィルやマーカーレフィル等の筆記体の筆記先端部を、軸筒の先端開口部から出没させるための、軸筒の内壁面に形成したカム溝と先端にカム面を有したノック体と前記カム面に噛合うカム受け部を有した回転カムとで構成されたノック式繰出機構を軸筒に具設したノック式筆記具において、筆記体を後方へ付勢するスプリングの他に１つのスプリングを配設するだけで、筆記時における「ノック体のがたつき問題」を解消し、かつ書き味を向上するための筆圧緩衝用スプリングを配した構造としたノック式筆記具を提案するものである。
【課題を解決するための手段】
【０００７】
本発明は、
「１．軸筒内にスプリングを介して後方に付勢して収容した筆記体の筆記先端部を軸筒の先端開口部から出没させるための、軸筒の内壁面に形成したカム溝と先端にカム面を有したノック体と前記カム面に噛合うカム受け部を有した回転カムとで構成されたノック式繰出機構を軸筒に具設したノック式筆記具において、先端に軸筒内に収容された筆記体の後端を押圧するための押圧部と、前記ノック体及び回転カムに挿入する棒状軸部と、該棒状軸部の外径より大径な外径を有する頭冠部とで構成した摺動ホルダーを、押圧部を筆記体の後端部に連接し、棒状軸部を前記ノック体内及び回転カム内に前後に摺動可能に挿入し、押圧部と回転カムとの間に、前記スプリングの弾発力より大きな弾発力を有した第二のスプリングを配して、筆記体の筆記先端部が軸筒の先端開口部より突出しないように頭冠部を直接又は間接的にノック体に連接させるとともに、頭冠部を押圧することなくノック体を押圧可能に頭冠部を配して設け、ノック体を押圧することで、回転カム及び摺動ホルダーが連動して前進し、押圧部の筆記体の後端への押圧により、筆記体の筆記先端部が軸筒の先端開口部より突出するようにしたことを特徴とする、ノック式筆記具。
２．前記頭冠部を、ノック体の後端に形成した凹部に軸心方向に摺動可能に挿嵌して設け、ノック体の開口部を頭栓で被覆することで、頭冠部を押圧することなくノック体を押圧可能とした、前記１項に記載のノック式筆記具。
３．前記頭冠部を、ノック体の後端に連接した頭冠カバーに形成した凹部に軸心方向に摺動可能に挿嵌して設け、頭冠カバーの開口部を頭栓で被覆することで、頭冠部を押圧することなくノック体を押圧可能とした、前記１項に記載のノック式筆記具。」
である。
【０００８】
本発明のノック式筆記具においては、筆記体を後方へ付勢するためのスプリングの弾発力より、摺動ホルダーの押圧部と回転カムとの間に配した第二のスプリングの弾発力の方が大きく、摺動ホルダーは、第二のスプリングの弾発力により前方へ摺動しようとするが、頭冠部が直接又は間接的にノック体に連接しているので、摺動ホルダーの前方への摺動は阻止され、筆記体の筆記先端部が軸筒の先端開口部から突出することはない。
【０００９】
本発明のノック式筆記具においては、筆記体の筆記先端部を軸筒の先端開口部から出没させるにはノック体を押圧する必要があるが、摺動ホルダーの頭冠部を直接押圧しても、ノック体及び回転カムも連動して前進するので筆記体の筆記先端部を軸筒の先端開口部から突出させることは可能であるが、筆記体の筆記先端部を軸筒の先端開口部に没入する際には、摺動ホルダーは筆記体の後端部に当接しており、筆記体は筆記先端部が軸筒の先端部の内壁面に衝接しているので、摺動ホルダーを押圧しても前進することがなく、回転カムを前進させて回転カムのカム溝の先端部との係止状態を解除することができなく、筆記体を後退させることはできない。そのために、摺動ホルダーの頭冠部を押圧することなくノック体を押圧可能に、頭冠部をノック体に連接することが重要となる。
【発明の効果】
【００１０】
本発明のカム溝とノック体と回転カムとで構成したノック式繰出機構を配設したノック式筆記具は前記したような構造なので、第二のスプリングにより摺動ホルダーの保持部と回転カムが離間する方向に弾発されているので、筆記体の筆記先端部を軸筒の先端開口部から突出した状態であってもノック体は回転カムと摺動ホルダーの頭冠部により挟持された状態なので、ノック体はカム溝に沿って前後にがたつくことがない。また、軸筒内に収容した筆記体を軸筒の先端開口部側へ押圧しノック体を押圧して筆記体の筆記先端部を軸筒の先端開口部より突出した際に、第二のスプリングが筆記時における筆圧を緩衝する緩衝用スプリングとして作用する。
【００１１】
請求項２及び請求項３の発明に係るような構造とすることにより、筆記体の筆記先端部を軸筒の先端開口部から出没させための繰出操作において、容易にノック体のみを押圧することができる。
【発明を実施するための最良の形態】
【００１２】
本実施例を図面を用いて説明するが、ノック式筆記具として軸筒内にボールペンレフィルを収容したノック式ボールペンを例にあげて説明するが、これに限定するものではない。図１は、本実施例のノック式ボールペンの縦断面図である。図２は、図１における要部の拡大図である。図３は、本実施例のノック式ボールペンにおいて、ボールペンレフィルの先端部を軸筒の先端開口部より繰出した状態を示した、ノック式ボールペンの縦断面図である。図４は、図３における要部の拡大図である。図５は、本実施例のノック式ボールペンにおいて、ボールペンレフィルの先端部が軸筒の先端開口部より繰出した状態から軸筒内に没入させる時の摺動ホルダーの状態を示した、ノック式ボールペンの縦断面図である。図６は、図５における要部の拡大図である。図７は、他の実施例を示す、ノック式ボールペンの要部の拡大断面図である。
【００１３】
本実施例のノック式ボールペン１は、図１及び図２に示すように、軸筒２を、先端開口部３を有する口金２ａと前軸２ｂと後軸２ｃとで構成し、口金２ａと前軸２ｂが、前軸２ｂと後軸２ｃとがそれぞれ着脱自在に螺着して取付けてある。口金２ａの先端内壁面には、軸径方向を平坦とした段部４を形成してある。前軸２ｂにはグリップ５が被着してある。後軸２ｃの内壁面には、従来より知られているノック式の繰出機構を構成するカム溝６と、先端に山型状の凹凸からなるカム面（図示せず）を有したノック体７と、前記カム面に噛合うカム受部（図示せず）を有した回転カム８を具設してある。回転カム８及びノック体７はカム溝６に沿って摺動可能に配設してあり、ノック体７及び回転カム８を円筒状に形成して回転カム８に形成した軸部８ａをノック体７の内部にノック体７に対して摺動可能に遊嵌してある。
【００１４】
軸筒２内には、筆記先端部となるボールペンチップ９をインキ（図示せず）を収容したインキ収容筒１０の先端に装着してなるボールペンレフィル１１を軸筒２内に収容し、一端を口金２ａの内壁面に他端をボールペンレフィル１１に形成した外方に膨出させてなるスプリング受部１２に当接して配したコイルスプリング１３により後方（繰出機構側）に付勢してある。
【００１５】
先端に前記ボールペンレフィル１１の後端部を挿嵌して保持する凹部１４ａを有した押圧部１４と、前記ノック体７及び回転カム８内を挿通可能で前記押圧部１４の外径より小径な外径の棒状軸部１５と、該棒状軸部１５の後端に螺着した棒状軸部１５の外径より大径な外径を有する頭冠部１６とで構成された摺動ホルダー１７を形成し、押圧部１４の凹部１４ａに前記ボールペンレフィル１１の後端部を挿嵌し、棒状軸部１５を前後（軸心方向）に摺動可能にノック体７と回転カム８に挿通し、頭冠部１６をノック体７後端部に形成した凹部１８に前後（軸心方向）に摺動可能に挿嵌して、摺動ホルダー１７を配設してある。凹部１８は、頭栓１９で閉塞してある。
【００１６】
前記押圧部１４と回転カム８との間には、収縮した状態で、前記したボールペンレフィル１１を後方へ付勢するためのコイルスプリング１３の弾発力より大きな弾発力を有した第二のコイルスプリング２０を設けてある。前記頭冠部１６は前記第二のコイルスプリング２０の弾発力により凹部１８の底面２１に衝接するので、摺動ホルダー１７の押圧部１４の回転カム８からの離間距離を任意に設定することができ、ボールペンチップ９の先端部が軸筒２の先端開口部３より突出しないように前記離間距離を設定してある。
【００１７】
本実施例のノック式ボールペン１における動作について説明すると、ノック体７を押圧することで、ノック体７及びノック体７に連接した回転カム８がカム溝６に沿って前進し、回転カム８が回転してカム溝６の係止部（図示せず）に係止する。このとき、ボールペンレフィル１１のインキ収容筒１０の前端面は、口金２ａの内壁面に形成した段部４に面接触する。ノック体７、回転カム８、摺動ホルダー１７及び第二のコイルスプリング２０は一つの系として摺動し、第二のコイルスプリング２０は初期の摺動前に比べ若干収縮しているが、その収縮長さは充分に小さいものとしてあり、ノック体７が「がたつく」という程度にはなっていない。また、ノック体７は回転カム８と摺動ホルダー１７の頭冠部１６とにより挟持された状態なので、回転カム８はもちろんノック体７も前進した位置で維持される（図３及び図４を参照）。
【００１８】
ボールペンチップ９の先端部を軸筒２の先端開口部３より没入させるには、再度ノック体７を押圧して回転カム８を若干前進させて回転させ（このとき摺動ホルダー１７は前進することはないので、図５及び図６に示すように摺動ホルダー１７の頭冠部１６は底面２１より若干離間する。）、回転カム８のカム溝６の係止部（図示せず）との前記係止を解除して、コイルスプリング１３により後方へ付勢されたボールペンレフィル１１の後退により摺動ホルダ−１７の押圧部１４が後方へ押圧されるので、前記したようにノック体７、回転カム８、摺動ホルダー１７及び第二のコイルスプリング２０は一つの系として後方へ摺動し、元の位置に復帰する。
【００１９】
図７は、他の実施例のノック式ボールペン５１を示すもので、摺動ホルダー１７の頭冠部１６を、ノック体７の後端に連接して設けた、後端を開口した凹部５２を有した前記頭冠カバー５３に、前後に摺動可能に挿嵌し、前記凹部５２は頭栓５４で閉塞してたもので、それ以外は前記実施例と同様にしてある。
【００２０】
他の実施例のノック式ボールペン５１における動作について説明すると、頭冠カバー５３を押圧することで、頭冠カバー５３に連接したノック体７及びノック体７に連接した回転カム８がカム溝６に沿って前進し、回転カム８が回転してカム溝６の係止部（図示せず）に係止し、ノック体７への押圧に変わって頭冠カバー５３を押圧することで、全く前記実施例のノック式ボールペン１と同様の動作を行う。
【産業上の利用可能性】
【００２１】
本発明は、軸筒の内壁面に形成したカム溝とノック体と回転カムとで構成されたノック式繰出機構を有したノック式筆記具に採用され、ノック体の前後方向へのがたつきを解消し、筆記時における筆圧緩衝構造を有するノック式筆記具を得ることができる。また、スプリングの弾発力を強くすることで、筆記時における筆記体のがたつきを防止可能なノック式筆記具を得ることができる。
【図面の簡単な説明】
【００２２】
【図１】本実施例のノック式ボールペンの縦断面図である。
【図２】図１における要部の拡大図である。
【図３】本実施例のノック式ボールペンにおいて、ボールペンレフィルの先端部を軸筒の先端開口部より繰出した状態を示した、ノック式ボールペンの縦断面図である。
【図４】図３における要部の拡大図である。
【図５】本実施例のノック式ボールペンにおいて、ボールペンレフィルの先端部が軸筒の先端開口部より繰出した状態から軸筒内に没入させる時の摺動ホルダーの状態を示した、ノック式ボールペンの縦断面図である。
【図６】図５における要部の拡大図である。
【図７】他の実施例を示す、ノック式ボールペンの要部の拡大断面図である。
【符号の説明】
【００２３】
１  ノック式ボールペン
２  軸筒
３  先端開口部
４  段部
６  カム溝
７  ノック体
８  回転カム体
１１  ボールペンレフィル
１３  コイルスプリング
１４  押圧部
１５  棒状軸部
１６  頭冠部
１７  摺動ホルダー
２０  第二のコイルスプリング
５１  ノック式ボールペン
５３  頭冠カバー
【図１】
2008173913.tif 000003
【図２】
2008173913.tif 000004
【図３】
2008173913.tif 000005
【図４】
2008173913.tif 000006
【図５】
2008173913.tif 000007
【図６】
2008173913.tif 000008
【図７】
2008173913.tif 000009